(57)【要約】【課題】目標色に合ったカラーパッチを探す作業を効率良く行うことが可能な技術を提供する。【解決手段】色選択用カラーチャートの複数のカラーパッチから目標色に合ったカラーパッチを選択するための支援を行う色選択支援方法であって、基準の色彩値を取得する基準色彩値取得工程と、前記色選択用カラーチャートに含まれるカラーパッチの測色値を取得する測色値取得工程と、前記基準の色彩値と前記測色値との色差を算出する色差算出工程と、前記色差に応じた音を発生させる音発生工程と、を含む、色選択支援方法。【選択図】図１
2020051764.tif 000002
【特許請求の範囲】
【請求項１】
色選択用カラーチャートの複数のカラーパッチから目標色に合ったカラーパッチを選択するための支援を行う色選択支援方法であって、
基準の色彩値を取得する基準色彩値取得工程と、
前記色選択用カラーチャートに含まれるカラーパッチの測色値を取得する測色値取得工程と、
前記基準の色彩値と前記測色値との色差を算出する色差算出工程と、
前記色差に応じた音を発生させる音発生工程と、を含む、色選択支援方法。
【請求項２】
前記基準の色彩値と前記測色値とに基づいて、次に測色すべきカラーパッチを示す情報を音声により出力する音声出力工程をさらに含む、請求項１に記載の色選択支援方法。
【請求項３】
前記音発生工程では、前記色差が閾値よりも大きい場合に前記音として第一の音を発生させ、前記色差が前記閾値よりも小さい場合に前記音として前記第一の音とは異なる第二の音を発生させる、請求項１又は請求項２に記載の色選択支援方法。
【請求項４】
前記閾値の設定を受け付ける閾値設定工程をさらに含む、請求項３に記載の色選択支援方法。
【請求項５】
前記色差が前記閾値よりも小さい場合、前記閾値を現在の値よりも小さい値に更新するか否かを受け付け、前記閾値の更新を受け付けたときに前記閾値を現在の値よりも小さい値に更新する閾値更新工程をさらに含む、請求項３又は請求項４に記載の色選択支援方法。
【請求項６】
前記音発生工程において発生させる音の設定を受け付ける音設定受付工程をさらに含む、請求項１〜請求項５のいずれか一項に記載の色選択支援方法。
【請求項７】
前記音発生工程では、前記色差に応じた音として、機器独立色空間において前記基準の色彩値の座標から前記測色値の座標に向かう方向に応じた音を発生させる、請求項１〜請求項６のいずれか一項に記載の色選択支援方法。
【請求項８】
色選択用カラーチャートの複数のカラーパッチから目標色に合ったカラーパッチを選択するための支援を行う色選択支援装置であって、
基準の色彩値を取得する基準色彩値取得部と、
前記色選択用カラーチャートに含まれるカラーパッチの測色値を取得する測色値取得部と、
前記基準の色彩値と前記測色値との色差を算出する色差算出部と、
前記色差に応じた音を発生させる音発生部と、を含む、色選択支援装置。
【請求項９】
色選択用カラーチャートの複数のカラーパッチから目標色に合ったカラーパッチを選択するための支援を行うための色選択支援プログラムであって、
基準の色彩値を取得する基準色彩値取得機能と、
前記色選択用カラーチャートに含まれるカラーパッチの測色値を取得する測色値取得機能と、
前記基準の色彩値と前記測色値との色差を算出する色差算出機能と、
前記色差に応じた音を発生させる音発生機能と、をコンピューターに実現させる、色選択支援プログラム。
【発明の詳細な説明】
【技術分野】
【０００１】
本発明は、目標色に合ったカラーパッチを選択するための支援を行う技術に関する。
【背景技術】
【０００２】
複数のカラーパッチの中から目標色に合ったカラーパッチを選択するために色選択用カラーチャートが用いられている。特許文献１には、メディア上に印刷された２７個のカラーパッチを有するカラーチャートが示されている。２７個のカラーパッチは、基準色を中心にａ*値とｂ*値をそれぞれ設定の色間隔で変化させた３×３個のカラーパッチ、基準色よりもＬ*値を設定の色間隔分、減らした色を中心にａ*値とｂ*値をそれぞれ設定の色間隔で変化させた３×３個のカラーパッチ、及び、基準色よりもＬ*値を設定の色間隔分、増やした色を中心にａ*値とｂ*値をそれぞれ設定の色間隔で変化させた３×３個のカラーパッチに分けられている。ここで、Ｌ*値はＣＩＥ Ｌ*ａ*ｂ*色空間における明度を意味し、ａ*値とｂ*値はＣＩＥ Ｌ*ａ*ｂ*色空間における色座標を意味する。ＣＩＥは、国際照明委員会の略称である。
【先行技術文献】
【特許文献】
【０００３】
【特許文献１】特開２０１２−７０２９８号公報
【発明の概要】
【発明が解決しようとする課題】
【０００４】
上述した技術では、目標色のカラーパッチを精度良く選択するためには、ユーザーは、まず、色間隔を広くしてカラーチャートをメディア上に印刷させ、２７個のカラーパッチを全て測色して目標色に近いカラーパッチを選択する必要がある。２７個のカラーパッチは広い色間隔で並べられているので、選択されたカラーパッチの色が目標色に合っているとは限らない。そこで、ユーザーは、選択されたカラーパッチの色を新たな基準色として色間隔を狭くしてカラーチャートをメディア上に印刷させ、２７個のカラーパッチを全て測色して目標色に近いカラーパッチを選択するという作業を繰り返す必要がある。
【０００５】
ここで、ユーザーは、各カラーパッチを測色する時にはメディア上のカラーチャートを見てカラーパッチに測色機のセンサーを当てる必要があり、目標色に近いかどうかは表示装置を見る必要がある。従って、ユーザーは、視線をメディア上のカラーチャートに移したり表示装置に移したりすることを繰り返す必要がある。このような繰り返し作業は煩わしいので、目標色に合ったカラーパッチを探す作業を効率良く行うことができない。
【課題を解決するための手段】
【０００６】
本発明は、色選択用カラーチャートの複数のカラーパッチから目標色に合ったカラーパッチを選択するための支援を行う色選択支援方法であって、
基準の色彩値を取得する基準色彩値取得工程と、
前記色選択用カラーチャートに含まれるカラーパッチの測色値を取得する測色値取得工程と、
前記基準の色彩値と前記測色値との色差を算出する色差算出工程と、
前記色差に応じた音を発生させる音発生工程と、を含む、態様を有する。
【０００７】
また、本発明は、上述した色選択支援方法の各工程に対応するユニット（「部」）を含む色選択支援装置の態様を有する。
さらに、本発明は、上述した色選択支援方法の各工程に対応する機能をコンピューターに実現させる色選択支援プログラムの態様を有する。
【図面の簡単な説明】
【０００８】
【図１】具体例に係る色選択支援方法の概略を模式的に示す図。
【図２】色選択支援装置の構成例を模式的に示すブロック図。
【図３】プロファイルの色変換テーブルの構造例を模式的に示す図。
【図４】色選択用カラーチャート印刷制御処理の例を示すフローチャート。
【図５】色選択用カラーチャートの印刷物の例を模式的に示す図。
【図６】カラーパッチ探索処理の例を示すフローチャート。
【図７】ＵＩ画面の例を模式的に示す図。
【図８】閾値更新選択画面の例を模式的に示す図。
【図９】探索結果表示画面の例を模式的に示す図。
【図１０】スポット調整の例を模式的に示す図。
【図１１】カラーパッチ探索処理の別の例を示すフローチャート。
【図１２】色差に応じて段階的に発生音を変える例を模式的に示す図。
【図１３】色差に応じて連続的に発生音を変える例を模式的に示す図。
【図１４】機器独立色空間においてターゲット色彩値の座標から測色値の座標に向かう方向に応じた音を発生させるための発生音テーブルの例を模式的に示す図。
【図１５】機器独立色空間においてターゲット色彩値の座標から測色値の座標に向かう方向と音との対応関係の例を模式的に示す図。
【発明を実施するための形態】
【０００９】
以下、本発明の実施形態を説明する。むろん、以下の実施形態は本発明を例示するものに過ぎず、実施形態に示す特徴の全てが発明の解決手段に必須になるとは限らない。
【００１０】
（１）本発明に含まれる技術の概要：
まず、図１〜１５に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。「本発明に含まれる技術の概要」において、括弧内は直前の語の補足説明を意味する。
【００１１】
［態様１］
図１，６等に例示するように、本技術の一態様に係る色選択支援方法は、色選択用カラーチャートＣＨ０の複数のカラーパッチＰ０から目標色に合ったカラーパッチを選択するための支援を行う色選択支援方法であって、基準の色彩値（例えばターゲット色彩値Ｌｔ，ａｔ，ｂｔ）を取得する基準色彩値取得工程ＳＴ１、前記色選択用カラーチャートＣＨ０に含まれるカラーパッチＰ０の測色値（例えばＬｐ，ａｐ，ｂｐ）を取得する測色値取得工程ＳＴ４、前記基準の色彩値（Ｌｔ，ａｔ，ｂｔ）と前記測色値（Ｌｐ，ａｐ，ｂｐ）との色差ΔＥを算出する色差算出工程ＳＴ５、及び、前記色差ΔＥに応じた音を発生させる音発生工程ＳＴ６と、を含む。
【００１２】
以上より、ユーザーは、カラーパッチＰ０に測色装置のセンサーを当ててカラーパッチＰ０を測色した時、視線を表示装置に移して基準の色彩値（Ｌｔ，ａｔ，ｂｔ）と測色値（Ｌｐ，ａｐ，ｂｐ）との色差ΔＥを見なくても、色差ΔＥに応じた音を聞くことにより測色したカラーパッチＰ０の色が目標色に近いか否かを知ることができる。従って、本態様は、目標色に合ったカラーパッチを探す作業を効率良く行うことが可能な色選択支援方法を提供することができる。
【００１３】
ここで、色彩値と測色値には、機器独立色空間（device independent color space）の座標値を適用することができる。機器独立色空間には、例えば、ＣＩＥ Ｌ*ａ*ｂ*色空間を適用することができる。Ｌ*ａ*ｂ*色空間は、ＣＩＥ により１９７６年に定められた座標系である。Ｌ*ａ*ｂ*色空間における色彩値は、明度であるＬ*値、並びに、色座標であるａ*値及びｂ*値を含む座標値である。
色差の計算には、ＣＩＥＤＥ２０００色差式で表される色差ΔＥ00、ＣＩＥ１９９４年色差式で表される色差ΔＥ*94、ＣＩＥ Ｌ*ａ*ｂ*色空間における座標間のユークリッド距離として定義された色差ΔＥ*ab、等を用いることができる。色差ΔＥ*abは、ΔＥ76と表記されることもある。本実施形態では、色差をΔＥで表すことにする。
色差に応じた音を発生させることには、色差が閾値よりも大きい場合と色差が閾値よりも小さい場合とで異なる音を発生させること、色差に応じて段階的に変えた音を発生させること、色差に応じて連続的に変えた音を発生させること、等が含まれる。
尚、上述した付言は、以下の態様においても適用される。
【００１４】
［態様２］
図１，６等に例示するように、本色選択支援方法は、前記基準の色彩値（Ｌｔ，ａｔ，ｂｔ）と前記測色値（Ｌｐ，ａｐ，ｂｐ）とに基づいて、次に測色すべきカラーパッチを示す情報を音声により出力する音声出力工程ＳＴ８をさらに含んでいてもよい。これにより、ユーザーは、カラーパッチＰ０に測色装置のセンサーを当ててカラーパッチＰ０を測色した時、視線を表示装置に移して次に測色すべきカラーパッチを示す情報を見なくても、音声を聞くことにより次に測色すべきカラーパッチを示す情報を知ることができる。従って、本態様は、目標色に合ったカラーパッチを探す作業をさらに効率良く行うことが可能な技術を提供することができる。
【００１５】
［態様３］
図１，６に例示するように、前記音発生工程ＳＴ６では、前記色差ΔＥが閾値ＴＨよりも大きい場合に前記音として第一の音を発生させ、前記色差ΔＥが前記閾値ＴＨよりも小さい場合に前記音として前記第一の音とは異なる第二の音を発生させてもよい。発生した音を聞くことにより、ユーザーは、視線を表示装置に移さなくても、基準の色彩値（Ｌｔ，ａｔ，ｂｔ）と測色値（Ｌｐ，ａｐ，ｂｐ）との色差ΔＥが閾値ＴＨよりも大きいか小さいかを知ることができる。従って、本態様は、目標色に合ったカラーパッチを探す作業を効率良く行う好適な技術を提供することができる。
ここで、前記音発生工程ＳＴ６では、前記色差ΔＥが前記閾値ＴＨと同じである場合、前記音として、前記第一の音を発生させてもよいし、前記第二の音を発生させてもよい。
【００１６】
［態様４］
図１，６，７に例示するように、本色選択支援方法は、前記閾値ＴＨの設定を受け付ける閾値設定工程ＳＴ２をさらに含んでいてもよい。基準の色彩値（Ｌｔ，ａｔ，ｂｔ）と測色値（Ｌｐ，ａｐ，ｂｐ）との色差ΔＥに対する閾値ＴＨを設定することができることにより、ユーザーは、例えば、閾値ＴＨを小さく設定すれば色差ΔＥがより小さいカラーパッチを探すことができ、閾値ＴＨを大きく設定すれば迅速にカラーパッチを探すことができる。従って、本態様は、目標色に合ったカラーパッチを探す作業を効率良く行う好適な技術を提供することができる。
【００１７】
［態様５］
図１，６に例示するように、本色選択支援方法は、前記色差ΔＥが前記閾値ＴＨよりも小さい場合、前記閾値ＴＨを現在の値よりも小さい値に更新するか否かを受け付け、前記閾値ＴＨの更新を受け付けたときに前記閾値ＴＨを現在の値よりも小さい値に更新する閾値更新工程ＳＴ７をさらに含んでいてもよい。基準の色彩値（Ｌｔ，ａｔ，ｂｔ）と測色値（Ｌｐ，ａｐ，ｂｐ）との色差ΔＥに対する閾値ＴＨを小さくすることができることにより、ユーザーは、発生した音に従って色差ΔＥがより小さいカラーパッチを探すことができる。従って、本態様は、目標色に合ったカラーパッチを探す作業をさらに効率良く行うことが可能な技術を提供することができる。
【００１８】
［態様６］
図１，６，７等に例示するように、本色選択支援方法は、前記音発生工程ＳＴ６において発生させる音の設定を受け付ける音設定受付工程ＳＴ３をさらに含んでいてもよい。この態様は、基準の色彩値（Ｌｔ，ａｔ，ｂｔ）と測色値（Ｌｐ，ａｐ，ｂｐ）との色差ΔＥに応じた音を変えることができるので、利便性を向上させる技術を提供することができる。
ここで、発生させる音の設定を受け付けることには、発生させる音の音階の設定を受け付けること、発生させる音の間隔の設定を受け付けること、発生させる音の音量の設定を受け付けること、等が含まれる。
【００１９】
［態様７］
図１４，１５に例示するように、前記音発生工程ＳＴ６では、前記色差ΔＥに応じた音として、機器独立色空間において前記基準の色彩値（Ｌｔ，ａｔ，ｂｔ）の座標から前記測色値（Ｌｐ，ａｐ，ｂｐ）の座標に向かう方向に応じた音を発生させてもよい。これにより、ユーザーは、視線を表示装置に移さなくても、音を聞くことにより、基準の測色値（Ｌｐ，ａｐ，ｂｐ）に対する測色値（Ｌｐ，ａｐ，ｂｐ）のずれの方向を知ることができる。従って、本態様は、目標色に合ったカラーパッチを探す作業をさらに効率良く行うことが可能な技術を提供することができる。
【００２０】
［態様８］
ところで、図２に例示するように、本技術の一態様に係る色選択支援装置（例えばホスト装置１００）は、基準色彩値取得工程ＳＴ１に対応する基準色彩値取得部Ｕ１、測色値取得工程ＳＴ４に対応する測色値取得部Ｕ４、色差算出工程ＳＴ５に対応する色差算出部Ｕ５、及び、音発生工程ＳＴ６に対応する音発生部Ｕ６を含む。本態様は、目標色に合ったカラーパッチを探す作業を効率良く行うことが可能な色選択支援装置を提供することができる。本色選択支援装置は、閾値設定工程ＳＴ２に対応する閾値設定部Ｕ２、音設定受付工程ＳＴ３に対応する音設定受付部Ｕ３、閾値更新工程ＳＴ７に対応する閾値更新部Ｕ７、音声出力工程ＳＴ８に対応する音声出力部Ｕ８を含んでいてもよい。
【００２１】
［態様９］
また、図２に例示するように、本技術の一態様に係る色選択支援プログラムＰＲ０は、基準色彩値取得工程ＳＴ１に対応する基準色彩値取得機能ＦＵ１、測色値取得工程ＳＴ４に対応する測色値取得機能ＦＵ４、色差算出工程ＳＴ５に対応する色差算出機能ＦＵ５、及び、音発生工程ＳＴ６に対応する音発生機能ＦＵ６をコンピューター（例えばホスト装置１００）に実現させる。本態様は、目標色に合ったカラーパッチを探す作業を効率良く行うことが可能な色選択支援プログラムを提供することができる。本色選択支援プログラムＰＲ０は、閾値設定工程ＳＴ２に対応する閾値設定機能ＦＵ２、音設定受付工程ＳＴ３に対応する音設定受付部機能ＦＵ３、閾値更新工程ＳＴ７に対応する閾値更新機能ＦＵ７、音声出力工程ＳＴ８に対応する音声出力機能ＦＵ８をコンピューターに実現させてもよい。
【００２２】
さらに、本技術は、色選択支援装置の制御方法、色選択支援装置を含む複合システム、複合システムの制御方法、色選択支援装置の制御プログラム、複合システムの制御プログラム、色選択支援プログラムや前記制御プログラムを記録したコンピューター読み取り可能な媒体、等に適用可能である。前述の装置は、分散した複数の部分で構成されてもよい。
【００２３】
尚、以下の明細書中において、Ｌ*ａ*ｂ*色空間、並びに、Ｌ*、ａ*、及び、ｂ*を表すための「*」の記載を省略する。
【００２４】
（２）具体例に係る色選択支援方法の概略：
図１は、具体例に係る色選択支援方法の概略を模式的に示している。図１に示す色選択支援方法は、色選択用カラーチャートＣＨ０から目標色に合ったカラーパッチＰ０を探すため、基準の色彩値であるターゲット色彩値（Ｌｔ，ａｔ，ｂｔ）とカラーパッチＰ０の測色値（Ｌｐ，ａｐ，ｂｐ）との色差ΔＥに応じた音を発生させる。カラーチャートＣＨ０は、複数のカラーパッチＰ０を有し、印刷物ＰＴ１として被印刷物（print substrate）ＭＥ１に形成されている。ターゲット色彩値（Ｌｔ，ａｔ，ｂｔ）と測色値（Ｌｐ，ａｐ，ｂｐ）は、Ｌａｂ色空間の座標値である。
本色選択支援方法は、以下述べる工程ＳＴ１〜ＳＴ８を含んでいる。
【００２５】
基準色彩値取得工程ＳＴ１では、ターゲット色彩値（Ｌｔ，ａｔ，ｂｔ）を取得する処理が行われる。
閾値設定工程ＳＴ２では、ターゲット色彩値（Ｌｔ，ａｔ，ｂｔ）と測色値（Ｌｐ，ａｐ，ｂｐ）との色差ΔＥに対する閾値ＴＨの設定を受け付ける処理が行われる。
【００２６】
音設定受付工程ＳＴ３では、色差ΔＥに応じて発生させる音の設定を受け付ける処理が行われる。
測色値取得工程ＳＴ４では、色選択用カラーチャートＣＨ０に含まれるカラーパッチＰ０の測色値（Ｌｐ，ａｐ，ｂｐ）を取得する処理が行われる。
【００２７】
色差算出工程ＳＴ５では、ターゲット色彩値（Ｌｔ，ａｔ，ｂｔ）と測色値（Ｌｐ，ａｐ，ｂｐ）との色差ΔＥを算出する処理が行われる。
音発生工程ＳＴ６では、色差算出工程ＳＴ５で算出された色差ΔＥに応じた音を発生させる処理が行われる。図１には、音発生工程ＳＴ６において、色差ΔＥが閾値ＴＨよりも大きい場合に音として第一の音を発生させる処理が行われ、色差ΔＥが閾値ＴＨ以下である場合に音として第一の音とは異なる第二の音を発生させる処理が行われることが示されている。むろん、音発生工程ＳＴ６において、色差ΔＥが閾値ＴＨ以上である場合に第一の音を発生させる処理が行われ、色差ΔＥが閾値ＴＨよりも小さい場合に第二の音を発生させる処理が行われてもよい。
【００２８】
閾値更新工程ＳＴ７では、色差ΔＥが閾値ＴＨよりも小さい場合、閾値ＴＨを現在の値よりも小さい値に更新するか否かを受け付け、閾値ＴＨの更新を受け付けたときに閾値ＴＨを現在の値よりも小さい値に更新する処理が行われる。図１には、閾値更新工程ＳＴ７において、色差ΔＥが閾値ＴＨ以下である場合に、閾値ＴＨを現在の色差ΔＥに更新するか否かを受け付け、閾値ＴＨの更新を受け付けた場合に閾値ＴＨを現在の色差ΔＥに更新する処理が行われることが示されている。
音声出力工程ＳＴ８では、ターゲット色彩値（Ｌｔ，ａｔ，ｂｔ）と測色値（Ｌｐ，ａｐ，ｂｐ）とに基づいて、次に測色すべきカラーパッチを示す情報を音声により出力する処理が行われる。
【００２９】
目標色のカラーパッチを精度良く選択するためには、ユーザーは、色選択用カラーチャートの各カラーパッチに測色装置のセンサーを当てて測色し、ターゲット色彩値と測色値との色差を確認しながら目標色に近いカラーパッチを探す必要がある。ターゲット色彩値と測色値との色差に応じた音を発生させる処理が行われない場合、ユーザーは、測色時にカラーチャートのカラーパッチを見る必要があり、ターゲット色彩値と測色値との色差を確認するためには表示装置を見る必要がある。このため、ユーザーは、視線を被印刷物上のカラーチャートに移したり表示装置に移したりすることを繰り返す必要がある。このような繰り返し作業は、煩わしい。
【００３０】
本具体例では、ユーザーがカラーパッチＰ０に測色装置のセンサーを当ててカラーパッチＰ０を測色した時、ターゲット色彩値と測色値との色差ΔＥに応じた音が発生する。これにより、ユーザーは、視線を表示装置に移して色差ΔＥを見なくても、発生音を聞くことにより測色したカラーパッチＰ０の色が目標色に近いか否かを知ることができる。従って、本具体例は、目標色に合ったカラーパッチを探す作業を効率良く行うことが可能となる。
【００３１】
（３）色選択支援装置の構成の具体例：
図２は、色選択支援装置の構成例としてホスト装置１００を周辺装置とともに模式的に示している。図２に示すシステムは、ホスト装置１００の他、表示装置１３０、測色装置１２０、及び、インクジェットプリンター２００を含んでいる。ホスト装置１００は、ＣＰＵ１１１、ＲＯＭ１１２、ＲＡＭ１１３、記憶装置１１４、入力装置１１５、音声出力装置１１６、通信Ｉ／Ｆ １１８、測色装置用Ｉ／Ｆ １１９、等が接続されて互いに情報を入出力可能とされている。ここで、ＣＰＵはCentral Processing Unitの略称であり、ＲＯＭはRead Only Memoryの略称であり、ＲＡＭはRandom Access Memoryの略称であり、Ｉ／Ｆはインターフェイスの略称である。ＲＯＭ１１２とＲＡＭ１１３と記憶装置１１４はメモリーであり、少なくともＲＯＭ１１２とＲＡＭ１１３は半導体メモリーである。表示装置１３０は、ホスト装置１００からの表示データに基づいて該表示データに対応する画面を表示する。表示装置１３０には、液晶表示パネル等を用いることができる。
【００３２】
記憶装置１１４は、図示しないＯＳ、色選択支援プログラムＰＲ０、プロファイル５００、等を記憶している。これらは、適宜、ＲＡＭ１１３に読み出され、色選択用カラーチャートの生成処理に使用される。ここで、ＯＳは、オペレーティングシステムの略称である。記憶装置１１４には、フラッシュメモリー等の不揮発性半導体メモリー、ハードディスク等の磁気記憶装置、等を用いることができる。
【００３３】
入力装置１１５には、ポインティングデバイス、キーボードを含むハードキー、表示パネルの表面に貼り付けられたタッチパネル、等を用いることができる。音声出力装置１１６には、音を表すデジタルの電気信号をデジタル−アナログ変換回路でアナログ信号に変換しスピーカーで音に変換して出力する装置等を用いることができる。通信Ｉ／Ｆ １１８は、プリンター２００の通信Ｉ／Ｆ ２１０に接続され、プリンター２００に対して印刷データ等といった情報を入出力する。測色装置用Ｉ／Ｆ １１９は、測色装置１２０に接続され、測色装置１２０から測色値を含む測色データを入手する。Ｉ／Ｆ １１８，１１９，２１０の規格には、ＵＳＢ、近距離無線通信規格、等を用いることができる。ここで、ＵＳＢは、Universal Serial Busの略称である。通信Ｉ／Ｆ １１８，１１９，２１０の通信は、有線でもよいし、無線でもよく、ＬＡＮやインターネット等といったネットワーク通信でもよい。ここで、ＬＡＮは、Local Area Networkの略称である。
【００３４】
測色装置１２０は、センサー１２１や測色ボタン１２２等を有し、カラーチャートが形成される媒体の例である被印刷物ＭＥ１に形成された各カラーパッチを測色して、測色値を出力可能である。パッチは、色票とも呼ばれる。測色値は、例えば、Ｌａｂ色空間における明度Ｌ及び色度座標ａ，ｂを表す値とされる。本具体例の測色装置１２０は、手動タイプであり、ユーザーによりセンサー１２１がカラーパッチに当てられて測色ボタン１２２が押し操作されると当該カラーパッチを測色して対応する測色値を含む測色データをホスト装置１００へ出力する。ホスト装置１００は、測色装置１２０から測色データを取得して各種処理を行う。
【００３５】
図２に示す色選択支援プログラムＰＲ０は、基準色彩値取得機能ＦＵ１、閾値設定機能ＦＵ２、音設定受付機能ＦＵ３、測色値取得機能ＦＵ４、色差算出機能ＦＵ５、音発生機能ＦＵ６、閾値更新機能ＦＵ７、及び、音声出力機能ＦＵ８をホスト装置１００に実現させる。
【００３６】
ホスト装置１００のＣＰＵ１１１は、記憶装置１１４に記憶されている情報を適宜、ＲＡＭ１１３に読み出し、読み出したプログラムを実行することにより各種処理を行う。ＣＰＵ１１１は、ＲＡＭ１１３に読み出された色選択支援プログラムＰＲ０を実行することにより、上述した機能ＦＵ１〜ＦＵ８に対応する処理を行う。色選択支援プログラムＰＲ０は、コンピューターであるホスト装置１００を、基準色彩値取得部Ｕ１、閾値設定部Ｕ２、音設定受付部Ｕ３、測色値取得部Ｕ４、色差算出部Ｕ５、音発生部Ｕ６、閾値更新部Ｕ７、及び、音声出力部Ｕ８として機能させる。また、色選択支援プログラムＰＲ０を実行するホスト装置１００は、基準色彩値取得工程ＳＴ１、閾値設定工程ＳＴ２、音設定受付工程ＳＴ３、測色値取得工程ＳＴ４、色差算出工程ＳＴ５、音発生工程ＳＴ６、閾値更新工程ＳＴ７、及び、音声出力工程ＳＴ８を実施する。上述した機能ＦＵ１〜ＦＵ８をコンピューターに実現させる色選択支援プログラムＰＲ０を記憶したコンピューター読み取り可能な媒体は、ホスト装置の内部の記憶装置に限定されず、ホスト装置の外部の記録媒体でもよい。
【００３７】
尚、ホスト装置１００には、タブレット型端末を含むパーソナルコンピューターといったコンピューター等が含まれる。例えば、デスクトップ型パーソナルコンピューターの本体をホスト装置１００に適用する場合、通常、この本体に表示装置１３０、測色装置１２０、及び、プリンター２００が接続される。ノート型パーソナルコンピューターのように表示装置一体型のコンピューターをホスト装置１００に適用する場合、通常、このコンピューターに測色装置１２０、及び、プリンター２００が接続される。表示装置一体型のホスト装置でも、内部の表示装置に表示データを出力していることに変わりない。また、ホスト装置１００は、一つの筐体内に全構成要素１１１〜１１９を有してもよいが、互いに通信可能に分割された複数の装置で構成されてもよい。さらに、表示装置１３０と測色装置１２０とプリンター２００の少なくとも一部がホスト装置１００にあっても、本技術を実施可能である。
【００３８】
図２に示すプリンター２００は、色材として、少なくとも、Ｃインク、Ｍインク、Ｙインク、及び、Ｋインクを記録ヘッド２２０から吐出して印刷データに対応する出力画像ＩＭ０を形成するインクジェットプリンターであるものとする。ここで、Ｃはシアンを意味し、Ｍはマゼンタを意味し、Ｙはイエローを意味し、Ｋはブラックを意味する。記録ヘッド２２０は、インクカートリッジＣｃ，Ｃｍ，Ｃｙ，ＣｋからそれぞれＣ，Ｍ，Ｙ，Ｋのインクが供給され、ノズルＮｃ，Ｎｍ，Ｎｙ，ＮｋからそれぞれＣ，Ｍ，Ｙ，Ｋのインク滴２８０を噴射する。インク滴２８０が被印刷物ＭＥ１に着弾すると、インクドットが被印刷物ＭＥ１に形成される。その結果、被印刷物ＭＥ１上に出力画像ＩＭ０を有する印刷物が得られる。プリンター２００の色再現特性を表すプロファイルを作成する場合、各格子点の色に対応するパッチを有するカラーチャートがプリンター２００により被印刷物ＭＥ１に形成されてもよい。各パッチの測色値を有する色変換テーブルは、Ａ２Ｂテーブルとしてプロファイルの作成に使用される。
【００３９】
（４）プロファイルの具体例：
図３は、プロファイル５００の構造を模式的に例示している。プロファイル５００には、例えば、ＩＣＣプロファイルのデータフォーマットを用いることができる。ここで、ＩＣＣは、International Color Consortiumの略称である。図３に示すプロファイル５００は、デバイスに依存するＣＭＹＫ色空間ＣＳ１の座標値とＬａｂ色空間ＣＳ２の座標値との対応関係を表すデータであり、デバイスの出力色の特性を表す。デバイスには、オフセット印刷機やグラビア印刷機やフレキソ印刷機や表示装置といった入力側のデバイス、及び、インクジェットプリンター２００といった出力側のデバイスが含まれる。
【００４０】
プロファイル５００は、ＣＭＹＫ色空間ＣＳ１の座標値をＬａｂ色空間ＣＳ２の座標値に変換する色変換テーブルであるＡ２Ｂテーブル５０１、及び、Ｌａｂ色空間ＣＳ２の座標値をＣＭＹＫ色空間ＣＳ１の座標値に変換する色変換テーブルであるＢ２Ａテーブル５０２を含んでいる。
【００４１】
Ａ２Ｂテーブル５０１は、ＣＭＹＫ色空間ＣＳ１の座標値であるＣＭＹＫ値（Ｃi，Ｍi，Ｙi，Ｋi）と、Ｌａｂ色空間ＣＳ２の座標値であるＬａｂ値（Ｌi，ａi，ｂi）と、の対応関係を規定したデータである。Ａ２Ｂテーブル５０１の格子点ＧＤ１は、通常、ＣＭＹＫ色空間にＣ軸方向、Ｍ軸方向、Ｙ軸方向、及び、Ｋ軸方向へ略等間隔となるように並べられる。尚、ここでの変数ｉは、ＣＭＹＫ色空間ＣＳ１に設定された格子点ＧＤ１を識別する変数である。ＣＭＹＫ色空間ＣＳ１がプリンター２００に依存する色空間である場合、ＣＭＹＫ値（Ｃi，Ｍi，Ｙi，Ｋi）はプリンター２００の使用インク量に合わせた座標値となる。
【００４２】
Ｂ２Ａテーブル５０２は、Ｌａｂ色空間ＣＳ２のＬａｂ値（Ｌj，ａj，ｂj）と、ＣＭＹＫ色空間ＣＳ１のＣＭＹＫ値（Ｃj，Ｍj，Ｙj，Ｋj）と、の対応関係を規定したデータである。Ｂ２Ａテーブル５０２の格子点ＧＤ２は、通常、Ｌａｂ色空間にＬ軸方向、ａ軸方向、及び、ｂ軸方向へ略等間隔となるように並べられる。尚、ここでの変数ｊは、Ｌａｂ色空間に設定された格子点ＧＤ２を識別する変数である。
【００４３】
尚、プロファイル５００に含まれる色変換テーブルは、単一の変換テーブルに限定されず、１次元の変換テーブルと３又は４次元の変換テーブルと１次元の変換テーブルとの組合せ等、複数の変換テーブルの組合せでもよい。従って、図３に示すＡ２Ｂテーブル５０１及びＢ２Ａテーブル５０２は、プロファイル５００に含まれる３又は４次元の変換テーブルを直接示す場合もあれば、プロファイル５００に含まれる複数の変換テーブルを組み合わせた状態を示す場合もある。
また、格子点（grid point）は入力側の色空間に配置された仮想の点を意味し、入力側の色空間における格子点の位置に対応する出力側の座標値が該格子点に格納されていると想定することにしている。複数の格子点が入力側の色空間内で均等に配置されるのみならず、複数の格子点が入力側の色空間内で不均等に配置されることも、本技術に含まれる。
【００４４】
プリンター２００がＣＭＹＫの計４色のインクを使用する場合、ＣＭＹＫ値は、そのまま、又は、印刷用のデータに変換されてプリンター２００に送信され、印刷に使用される。プリンター２００が５色以上のインクを使用する場合、ＣＭＹＫ値が色分版テーブルにより５色以上のインク使用量を表すデータに変換されてプリンター２００に送信され、印刷に使用される。５色以上のインクの色には、ＣＭＹＫの他、Ｃよりも低濃度のＬｃすなわちライトシアン、Ｍよりも低濃度のＬｍすなわちライトマゼンタ、Ｙよりも高濃度のＤｙすなわちダークイエロー、Ｋよりも低濃度のＬｋすなわちライトブラック、等の一部又は全部が例示される。ホスト装置１００又はプリンター２００は、色分版テーブルに従ってＣＭＹＫ値を濃色と淡色に分版すると、印刷物に画像を再現させることができる。例えば、プリンター２００がＣ，Ｍ，Ｙ，Ｋ，Ｌｃ，Ｌｍの計６色のインクを使用する場合、ＣＭＹＫ色空間の座標値にＣ，Ｍ，Ｙ，Ｋ，Ｌｃ，Ｌｍそれぞれのインク使用量を表す階調値が対応付けられた色分版テーブルを使用すればよい。
【００４５】
（５）色選択用カラーチャート印刷制御処理の具体例：
図４は、図２で示したホスト装置１００で行われる色選択用カラーチャート印刷制御処理を例示している。この処理は、ステップＳ１０２〜Ｓ１１２の処理を含んでいる。以下、「ステップ」の記載を省略する。ホスト装置１００は、マルチタスクにより複数の処理を並列して実行している。
【００４６】
色選択用カラーチャート印刷制御処理が開始されると、ホスト装置１００は、Ｓ１０２において、色選択用カラーチャートＣＨ０のカラーパッチＰ０の色差間隔を設定するための色差式を決定する。例えば、ホスト装置１００は、色差ΔＥ00、色差ΔＥ*94、及び、色差ΔＥ*abを含む選択欄を表示装置１３０に表示させ、この選択欄からいずれか一つの色差を入力装置１１５により受け付ける処理とすることができる。色差ΔＥ00が受け付けられた場合はＣＩＥＤＥ２０００色差式の使用が決定され、色差ΔＥ*94が受け付けられた場合はＣＩＥ１９９４年色差式の使用が決定され、色差ΔＥ*abが受け付けられた場合はＬａｂ色空間における座標間のユークリッド距離として定義される色差式の使用が決定されることになる。
【００４７】
使用する色差式の決定後、ホスト装置１００は、Ｓ１０４において、基準の色彩値の例であるターゲット色彩値（Ｌｔ，ａｔ，ｂｔ）を取得する。ホスト装置１００は、例えば、図４の中に示すようなターゲット色彩値入力欄７１０を表示装置１３０に表示させ、このターゲット色彩値入力欄７１０に対するＬ値、ａ値、及び、ｂ値の入力を入力装置１１５により受け付ける処理を行えばよい。入力を受け付けた色彩値がターゲット色彩値（Ｌｔ，ａｔ，ｂｔ）となる。
【００４８】
ターゲット色彩値の取得後、ホスト装置１００は、Ｓ１０６において、カラーチャートＣＨ０のカラーパッチＰ０の総数Ｎ、及び、色差間隔ΔＥｐを取得する。カラーチャートＣＨ０においてＬ軸方向とａ軸方向とｂ軸方向とで軸方向のパッチ数Ｚが同じであるとすると、総数ＮはＺ3となる。パッチ数Ｚは、３、５、…といった奇数が好ましいものの、２、４、…といった偶数でもよい。総数Ｎ＝Ｚ3、及び、色差間隔ΔＥｐは、デフォルトで決められていてもよいし、ユーザーにより指定されてもよい。
【００４９】
Ｓ１０６の処理後、ホスト装置１００は、Ｓ１０８において、ターゲット色彩値（Ｌｔ，ａｔ，ｂｔ）、総数Ｎ＝Ｚ3、及び、色差間隔ΔＥｐに基づいて、カラーチャートＣＨ０に含まれる各カラーパッチＰ０の色彩値（Ｌｃ，ａｃ，ｂｃ）を算出する。ホスト装置１００は、例えば、ターゲット色彩値（Ｌｔ，ａｔ，ｂｔ）を中心に、Ｌ軸方向とａ軸方向とｂ軸方向とへ軸方向パッチ数Ｚ＝Ｎ1/3のカラーパッチが色差間隔ΔＥｐで並ぶように色彩値（Ｌｃ，ａｃ，ｂｃ）を設定すればよい。
例えば、色差の計算にΔＥ*abを用いる場合、カラーチャートＣＨ０に含まれる複数のカラーパッチがとり得る色彩値（Ｌ，ａ，ｂ）の範囲は、以下の通りとなる。
Ｌｔ−ΔＥｐ×（Ｚ−１）／２≦Ｌ≦Ｌｔ＋ΔＥｐ×（Ｚ−１）／２  …(1)
ａｔ−ΔＥｐ×（Ｚ−１）／２≦ａ≦ａｔ＋ΔＥｐ×（Ｚ−１）／２  …(2)
ｂｔ−ΔＥｐ×（Ｚ−１）／２≦ｂ≦ｂｔ＋ΔＥｐ×（Ｚ−１）／２  …(3)
【００５０】
各色彩値（Ｌｃ，ａｃ，ｂｃ）は、図５に例示する各カラーパッチＰ０を形成するためのＬａｂ値である。図５は、最終的に形成される色選択用カラーチャートＣＨ０の印刷物ＰＴ１を模式的に例示している。
【００５１】
図５に示すカラーチャートＣＨ０に含まれる複数のカラーパッチＰ０は、被印刷物ＭＥ１に対して色差間隔ΔＥｐが均等となるように並べられている。複数のカラーパッチＰ０は、被印刷物ＭＥ１が変わる毎にＬ値が変化するように配置され、各被印刷物ＭＥ１に対して横方向へａ値が変化するように並べられ、各被印刷物ＭＥ１に対して縦方向へｂ値が変化するように並べられている。図５において、色差間隔ΔＥｐは、Ｌ軸方向において明度差ΔＬｐであることが示され、ａ軸方向において彩度差Δａｐであることが示され、ｂ軸方向において彩度差Δｂｐであることが示されている。色差の計算にΔＥ*abを用いる場合にはΔＬｐ＝Δａｐ＝Δｂｐ＝ΔＥｐであるが、色差の計算にΔＥ00やΔＥ*94を用いる場合にはΔＬｐ＝Δａｐ＝Δｂｐ＝ΔＥｐとはならない。
【００５２】
各色彩値（Ｌｃ，ａｃ，ｂｃ）の算出後、ホスト装置１００は、Ｓ１１０において、各色彩値（Ｌｃ，ａｃ，ｂｃ）に基づいてカラーチャートＣＨ０を形成するためのカラーチャートデータを生成する。各色彩値（Ｌｃ，ａｃ，ｂｃ）はＬａｂ値で表されているので、ホスト装置１００は、図３で示したプロファイル５００のＢ２Ａテーブル５０２を参照して各色彩値（Ｌｃ，ａｃ，ｂｃ）をＣＭＹＫ値に変換すればよい。
【００５３】
カラーチャートデータ生成後、ホスト装置１００は、Ｓ１１２において、カラーチャートデータと印刷指示を含む印刷データを生成し、この印刷データをプリンター２００に送信して、色選択用カラーチャート印刷制御処理を終了させる。
ホスト装置１００からの印刷データを受信したプリンター２００は、印刷データに基づいて、図５に示すような色選択用カラーチャートＣＨ０を被印刷物ＭＥ１上に形成する。
【００５４】
（６）カラーパッチ探索処理の具体例：
得られた色選択用カラーチャートＣＨ０は、目標色に合ったカラーパッチの選択のために使用される。
図６は、図２で示したホスト装置１００で行われるカラーパッチ探索処理を例示している。ここで、Ｓ２１２は、基準色彩値取得工程ＳＴ１、基準色彩値取得機能ＦＵ１、及び、基準色彩値取得部Ｕ１に対応している。Ｓ２２０は、閾値設定工程ＳＴ２、閾値設定機能ＦＵ２、及び、閾値設定部Ｕ２に対応している。Ｓ２２２は、音設定受付工程ＳＴ３、音設定受付部機能ＦＵ３、及び、音設定受付部Ｕ３に対応している。Ｓ２３０は、測色値取得工程ＳＴ４、測色値取得機能ＦＵ４、及び、測色値取得部Ｕ４に対応している。Ｓ２３２は、色差算出工程ＳＴ５、色差算出機能ＦＵ５、及び、色差算出部Ｕ５に対応している。Ｓ２３４〜Ｓ２３８は、音発生工程ＳＴ６、音発生機能ＦＵ６、及び、音発生部Ｕ６に対応している。Ｓ２４０〜Ｓ２４２は、閾値更新工程ＳＴ７、閾値更新機能ＦＵ７、及び、閾値更新部Ｕ７に対応している。Ｓ２４６は、音声出力工程ＳＴ８、音声出力機能ＦＵ８、及び、音声出力部Ｕ８に対応している。
【００５５】
カラーパッチ探索処理が開始されると、ホスト装置１００は、Ｓ２０２において、ＵＩ画面を表示装置１３０に表示させる処理を行う。図７は、ＵＩ画面８００を例示している。ＵＩ画面８００は、ターゲット色表示欄８１１、パッチ色表示欄８１２、ターゲット色彩値入力欄８１３、測色値表示欄８１４、測色実行ボタン８１５，８１６、光源選択欄８２１、Ｍファクター選択欄８２２、色差式選択欄８２３、色差閾値入力欄８２４、ボタン８２５、発生音選択欄８２６、及び、ボタン８２７を有している。ターゲット色表示欄８１１において、ホスト装置１００は、ターゲット色彩値入力欄８１３に入力されているターゲット色彩値（Ｌｔ，ａｔ，ｂｔ）に対応する色を表示装置１３０に表示させる処理を行う。パッチ色表示欄８１２において、ホスト装置１００は、測色値（Ｌｐ，ａｐ，ｂｐ）に対応する色を表示装置１３０に表示させる処理を行う。測色値表示欄８１４において、ホスト装置１００は、カラーパッチＰ０の測色値（Ｌｐ，ａｐ，ｂｐ）を表示装置１３０に表示させる処理を行う。
【００５６】
ホスト装置１００は、Ｓ２１０において、カラーパッチを探索するための各種の情報を取得する。Ｓ２１０の情報取得処理は、ターゲット色彩値Ｌａｂ（ｔ）を取得するＳ２１２の処理、測色光源の設定を受け付けるＳ２１４の処理、Ｍファクターの設定を受け付けるＳ２１６の処理、使用する色差式の設定を受け付けるＳ２１８の処理、色差閾値ＴＨの初期値を取得するＳ２２０の処理、及び、発生音の設定を受け付けるＳ２２２の処理を含んでいる。ここで、ターゲット色彩値Ｌａｂ（ｔ）は、（Ｌｔ，ａｔ，ｂｔ）を省略した表記である。
【００５７】
ホスト装置１００は、Ｓ２１２において、例えば、図４で示したターゲット色彩値入力欄７１０に入力されたターゲット色彩値Ｌａｂ（ｔ）をターゲット色彩値入力欄８１３において表示装置１３０に表示させる処理を行う。この場合、図４で示した色選択用カラーチャート印刷制御処理において保持されたターゲット色彩値Ｌａｂ（ｔ）を入手することは、ターゲット色彩値Ｌａｂ（ｔ）を取得することになる。また、ホスト装置１００は、入力装置１１５によりターゲット色彩値入力欄７１０へのターゲット色彩値Ｌａｂ（ｔ）の入力を受け付ける処理を行ってもよい。この場合、ターゲット色彩値Ｌａｂ（ｔ）の入力を受け付けることは、ターゲット色彩値Ｌａｂ（ｔ）を取得することになる。さらに、ホスト装置１００は、入力装置１１５により測色実行ボタン８１５の操作を受け付けたときに測色装置１２０からターゲット色の測色値をターゲット色彩値Ｌａｂ（ｔ）として取得してターゲット色彩値入力欄７１０において表示装置１３０に表示させる処理を行ってもよい。
【００５８】
ホスト装置１００は、Ｓ２１４において、光源選択欄８２１に含まれるＤ５０光源、Ｄ６５光源、Ｆ２光源、といった複数の光源から測色時に使用する光源の設定を入力装置１１５により受け付ける処理を行う。
【００５９】
ホスト装置１００は、Ｓ２１６において、Ｍファクター選択欄８２２に含まれるＭ０、Ｍ１、Ｍ２、といった複数のＭファクターから測色時に使用するＭファクターの設定を入力装置１１５により受け付ける処理を行う。Ｍファクターは、被印刷物に蛍光増白剤が使用される可能性を考慮したファクターである。被印刷物に蛍光増白剤が使用されている場合、測色装置の光源に使用されている光の紫外線量と観察光源に使用されている光の紫外線量とが異なると、見えにずれが生じる。特に、Ｍ１は、被印刷物や色材に含まれる蛍光素材によって発生する測定値と見えの不一致を削減するために定義された規格である。
【００６０】
ホスト装置１００は、Ｓ２１８において、色差式選択欄８２３に含まれる複数の色差式から色差の計算に使用する色差式の設定を入力装置１１５により受け付ける処理を行う。複数の色差式には、図７においてΔＥ00と示されているΔＥ00、図７においてΔＥ94と示されているΔＥ*94、図７においてΔＥ76と示されているΔＥ*ab、等が含まれる。
【００６１】
ホスト装置１００は、Ｓ２２０において、例えば、色差閾値ＴＨの初期値を取得して該初期値を色差閾値入力欄８２４において表示装置１３０に表示させる処理を行う。色差閾値ＴＨの初期値は、デフォルトで決められていてもよいし、ユーザーにより指定されてもよい。また、ホスト装置１００は、入力装置１１５により色差閾値入力欄８２４への色差閾値ＴＨの初期値の入力を受け付ける処理を行ってもよい。この場合、色差閾値ＴＨの初期値の入力を受け付けることは、色差閾値ＴＨの初期値を取得することになる。尚、ホスト装置１００は、入力装置１１５によりデフォルトに戻すボタン８２５の操作を受け付けたときに色差閾値ＴＨの初期値をデフォルトの値に戻す処理を行う。
【００６２】
ホスト装置１００は、Ｓ２２２において、例えば、発生音選択欄８２６に含まれる複数の音から発生させる音の設定を入力装置１１５により受け付ける処理を行う。図７に示す発生音選択欄８２６には、音１、音２、音３、といった複数の種類の音が含まれている。複数の種類の音としては、ドレミといった音階を変えた音、間隔を変えた音、音量を変えた音、等を採用することができる。尚、ホスト装置１００は、入力装置１１５によりデフォルトに戻すボタン８２７の操作を受け付けたときに発生音の設定をデフォルトに戻す処理を行う。
【００６３】
ホスト装置１００は、入力装置１１５による測色実行ボタン８１６への操作を受け付けると、カラーパッチＰ０を測色する測色モードに移行させ、処理をＳ２３０に進める。
【００６４】
ここで、カラーチャートＣＨ０に含まれるいずれか一つのカラーパッチＰ０にユーザーが測色装置１２０のセンサー１２１を当てて測色ボタン１２２を押下すると、測色装置１２０は当該カラーパッチを測色して対応する測色値Ｌａｂ（ｐ）を含む測色データをホスト装置１００へ出力する。ここで、測色値Ｌａｂ（ｐ）は、（Ｌｐ，ａｐ，ｂｐ）を省略した表記である。ホスト装置１００は、Ｓ２３０において、測色装置１２０から測色値Ｌａｂ（ｐ）を取得し、測色値Ｌａｂ（ｐ）を測色値表示欄８１４において表示装置１３０に表示させる処理を行う。
【００６５】
測色値Ｌａｂ（ｐ）の取得後、ホスト装置１００は、Ｓ２３２において、色差式選択欄８２３から選択された色差式に従って、ターゲット色彩値Ｌａｂ（ｔ）と測色値Ｌａｂ（ｐ）との色差ΔＥを算出する。
【００６６】
色差ΔＥの算出後、ホスト装置１００は、Ｓ２３４において、色差ΔＥが閾値ＴＨよりも大きいか否かを判断する。ΔＥ＞ＴＨである場合、ホスト装置１００は、Ｓ２３６において第一の音を音声出力装置１１６に発生させ、処理をＳ２４４に進める。ΔＥ≦ＴＨである場合、ホスト装置１００は、Ｓ２３８において第二の音を音声出力装置１１６に発生させ、処理をＳ２４０に進める。
【００６７】
例えば、第一の音が比較的低周波数の低音階ビープ音であり、第二の音が比較的高周波数の高音階ビープ音であるとする。測色値Ｌａｂ（ｐ）がターゲット色彩値Ｌａｂ（ｔ）から比較的遠いΔＥ＞ＴＨの場合、音声出力装置１１６から低音階ビープ音が発生する。低音階ビープ音を聞いたユーザーは、表示装置１３０に視線を移さなくても、測色値Ｌａｂ（ｐ）がターゲット色彩値Ｌａｂ（ｔ）から遠いことを知ることができる。一方、測色値Ｌａｂ（ｐ）がターゲット色彩値Ｌａｂ（ｔ）に比較的近いΔＥ≦ＴＨの場合、音声出力装置１１６から高音階ビープ音が発生する。高音階ビープ音を聞いたユーザーは、表示装置１３０に視線を移さなくても、測色値Ｌａｂ（ｐ）がターゲット色彩値Ｌａｂ（ｔ）に近いことを知ることができる。
以上のようにして、ホスト装置１００は、Ｓ２３４において、色差ΔＥに応じた音を発生させる。
【００６８】
第二の音の発生後、ホスト装置１００は、Ｓ２４０において、閾値ＴＨを現在の値よりも小さい値に更新するか否かを判断し、更新すると判断した場合に処理をＳ２４２に進め、更新しないと判断した場合に処理をＳ２４４に進める。Ｓ２４０の判断処理は、予め決められた規則に従って行われてもよいし、図８に例示するような閾値更新選択画面８５０を表示装置１３０に表示させてユーザーから閾値ＴＨを更新するか否かの操作を受け付ける処理でもよい。
【００６９】
図８に示す閾値更新選択画面８５０は、閾値表示欄８５１、ターゲット色彩値表示領域８５２、測色値表示領域８５３、色差表示欄８５４、Ｙｅｓボタン８５５、及び、Ｎｏボタン８５６を有している。閾値表示欄８５１において、ホスト装置１００は、現在の閾値ＴＨを表示装置１３０に表示させる処理を行う。ターゲット色彩値表示領域８５２において、ホスト装置１００は、ターゲット色彩値Ｌａｂ（ｔ）を表示装置１３０に表示させる処理を行う。測色値表示領域８５３において、ホスト装置１００は、現在の測色値Ｌａｂ（ｐ）、すなわち、最後に測色されたカラーパッチの測色値Ｌａｂ（ｐ）を表示装置１３０に表示させる処理を行う。色差表示欄８５４において、ホスト装置１００は、現在の色差ΔＥ、すなわち、前述の測色値Ｌａｂ（ｐ）とターゲット色彩値Ｌａｂ（ｔ）との色差ΔＥを表示装置１３０に表示させる処理を行う。
【００７０】
ホスト装置１００は、入力装置１１５によりＹｅｓボタン８５５の操作を受け付けると、Ｓ２４２において閾値ＴＨを現在の色差ΔＥに更新し、処理をＳ２４４に進める。尚、Ｓ２３４においてΔＥ＝ＴＨの場合にＳ２４０の判断処理が行われるため、ホスト装置１００は、Ｓ２４０において、ΔＥ＝ＴＨの場合に閾値ＴＨを更新しないと判断して処理をＳ２４４に進めるとよい。すると、Ｓ２４２の処理が行われる場合、常に、閾値ＴＨが現在の値よりも小さい値に更新されることになる。
また、ホスト装置１００は、入力装置１１５によりＮｏボタン８５６の操作を受け付けると、Ｓ２４２の処理を行わずに処理をＳ２４４に進める。
【００７１】
Ｓ２４４において、ホスト装置１００は、カラーパッチＰ０の測色を継続するか否かを判断し、測色を継続すると判断した場合に処理をＳ２４６に進め、測色を継続しないと判断した場合に処理をＳ２４８に進める。
【００７２】
Ｓ２４６において、ホスト装置１００は、ターゲット色彩値Ｌａｂ（ｔ）と現在の測色値Ｌａｂ（ｐ）とに基づいて、次に測色すべきカラーパッチを示す情報を音声出力装置１１６に出力させる処理を行い、処理を２３０に戻す。Ｓ２４６の処理は、例えば、以下のようにして行うことができる。
【００７３】
まず、ホスト装置１００は、ターゲット色彩値（Ｌｔ，ａｔ，ｂｔ）と現在の測色値（Ｌｐ，ａｐ，ｂｐ）との各成分の差ΔＬ，Δａ，Δｂを算出する。
ΔＬ＝Ｌｐ−Ｌｔ
Δａ＝ａｐ−ａｔ
Δｂ＝ｂｐ−ｂｔ
【００７４】
次に、ホスト装置１００は、｜ΔＬ｜と｜Δａ｜と｜Δｂ｜の中から最大値を抽出し、抽出結果に応じた情報を音声出力装置１１６に出力させる処理を行う。ここで、現在のカラーパッチの色彩値を（Ｌｃ，ａｃ，ｂｃ）とし、カラーチャートＣＨ０のカラーパッチの色差間隔をΔＥｐとする。
｜ΔＬ｜が最大値であってΔＬ＞０である場合：
現在のカラーパッチから＋Ｌ方向へΔＥｐずれたカラーパッチを示す情報
｜ΔＬ｜が最大値であってΔＬ＜０である場合：
現在のカラーパッチから−Ｌ方向へΔＥｐずれたカラーパッチを示す情報
｜Δａ｜が最大値であってΔａ＞０である場合：
現在のカラーパッチから＋ａ方向へΔＥｐずれたカラーパッチを示す情報
｜Δａ｜が最大値であってΔａ＜０である場合：
現在のカラーパッチから−ａ方向へΔＥｐずれたカラーパッチを示す情報
｜Δｂ｜が最大値であってΔｂ＞０である場合：
現在のカラーパッチから＋ｂ方向へΔＥｐずれたカラーパッチを示す情報
｜Δｂ｜が最大値であってΔｂ＜０である場合：
現在のカラーパッチから−ｂ方向へΔＥｐずれたカラーパッチを示す情報
【００７５】
以上より、ユーザーは、カラーパッチに測色装置のセンサーを当ててカラーパッチを測色した時、視線を表示装置に移して次に測色すべきカラーパッチを示す情報を見なくても、音声を聞くことにより次に測色すべきカラーパッチを示す情報を知ることができる。
【００７６】
一方、Ｓ２４８において、ホスト装置１００は、ターゲット色彩値Ｌａｂ（ｔ）と測色値Ｌａｂ（ｐ）との色差ΔＥが最小となったカラーパッチのＣＭＹＫ値を取得し、図９に例示する探索結果表示画面８７０の探索結果表示欄８７５において表示装置１３０に表示させる。色選択用カラーチャートＣＨ０を生成するため各カラーパッチのＣＭＹＫ値が求められているので、ホスト装置１００は、色差ΔＥが最小となったカラーパッチを生成するためのＣＭＹＫ値を取得すればよい。色差ΔＥが最小となったカラーパッチカラーパッチは、目標色に最も近い色のカラーパッチである。図９に示す探索結果表示画面８７０は、図８で示した要素８５１〜８５４と同様の要素８７１〜８７４、すなわち、閾値ＴＨ表示欄８７１、ターゲット色彩値表示領域８７２、測色値表示領域８７３、及び、色差表示欄８７４も有している。
【００７７】
以上により、カラーパッチ探索処理が終了する。
ターゲット色彩値と測色値との色差が最小となったカラーパッチのＣＭＹＫ値は、例えば、図３で示したプロファイル５００のＢ２Ａテーブル５０２のスポット調整に利用することができる。
【００７８】
図１０は、調整点Ｒのスポット調整を模式的に例示している。図１０に示すスポット調整は、プロファイル５００に格納されているＢ２Ａテーブル５０２において調整点Ｒの座標値（Ｌｒ，ａｒ，ｂｒ）に対応付けられているＣＭＹＫ値（Ｃｒ，Ｍｒ，Ｙｒ，Ｋｒ）を変更する様子を示している。調整点Ｒの座標値（Ｌｒ，ａｒ，ｂｒ）は、例えば、上述した基準の色彩値であるターゲット色彩値（Ｌｔ，ａｔ，ｂｔ）となる。ここで、基準の測色値との色差が最小となったカラーパッチのＣＭＹＫ値を（Ｃｑ，Ｍｑ，Ｙｑ，Ｋｑ）とする。調整点Ｒの座標値（Ｌｒ，ａｒ，ｂｒ）に対して調整前のＣＭＹＫ値（Ｃｒ，Ｍｒ，Ｙｒ，Ｋｒ）の代わりにＣＭＹＫ値（Ｃｑ，Ｍｑ，Ｙｑ，Ｋｑ）が対応付けられるようにＢ２Ａテーブル５０２が調整されることになる。調整点Ｒが複数ある場合、各調整点Ｒについて変更後のＣＭＹＫ値が対応付けられるようにＢ２Ａテーブル５０２が調整される。Ｌａｂ色空間において調整点Ｒの周囲に対応付けられるＣＭＹＫ値は、スムージング処理により、例えば、調整点Ｒからの距離に応じた割合で変更される。調整後のＢ２Ａテーブル５０２は、プロファイル５００に格納される。
【００７９】
尚、プロファイル５００に格納されているＡ２Ｂテーブル５０１に対して、調整後のＢ２Ａテーブル５０２に基づいてＬａｂ値を変更する調整を行うことが可能である。調整後のＡ２Ｂテーブル５０１は、プロファイル５００に格納される。
【００８０】
以上説明したように、ユーザーは、カラーパッチＰ０に測色装置のセンサーを当ててカラーパッチＰ０を測色した時、視線を表示装置１３０に移さなくても、色差ΔＥに応じた音を聞くことにより測色したカラーパッチＰ０の色が目標色に近いか否かを知ることができる。従って、本具体例は、目標色に合ったカラーパッチを探す作業を効率良く行うことが可能となる。
【００８１】
（７）変形例：
本発明は、種々の変形例が考えられる。
例えば、出力デバイスは、インクジェットプリンターに限定されず、色材としてトナーを使用するレーザープリンターといった電子写真方式のプリンター、３次元プリンター、等でもよい。
画像を形成する色材の種類は、Ｃ，Ｍ，Ｙ，Ｋに限定されず、Ｃ，Ｍ，Ｙ，Ｋに加えて、Ｌｃ、Ｌｍ、ＤＹ、Ｏｒすなわちオレンジ、Ｇｒすなわちグリーン、Ｌｋ、画質向上用の無着色の色材、等を含んでもよい。
【００８２】
上述した処理は、順番を入れ替えたり、一部を省略したり、別の処理を付加したりする等、適宜、変更可能である。例えば、図４の処理において、カラーチャートのカラーパッチの総数Ｎ及び色差間隔ΔＥｐを取得するＳ１０６の処理は、Ｓ１０２又はＳ１０４の処理の直前に行うことが可能である。
上述した実施形態ではホスト装置１００が上述した処理を行ったが、この例に本技術は限定されない。例えば、測色装置１２０が上述した処理を行うことが可能である。この場合、測色装置１２０は、ホスト装置１００に接続されている必要がなく、スタンドアロンで使用可能である。
【００８３】
色差ΔＥに応じて発生させる音は、ビープ音に限定されず、より複雑な音階を有する効果音等でもよい。
また、色差ΔＥに応じた音は、ΔＥ＞ＴＨである場合の第一の音とΔＥ＜ＴＨである場合の第二の音との組合せに限定されず、色差ΔＥに応じて段階的、又は、連続的に変わる音等でもよい。
【００８４】
図１１は、色差ΔＥに応じて段階的、又は、連続的に変えた音を発生させる処理を行うカラーパッチ探索処理を例示している。このカラーパッチ探索処理は、図６で示したカラーパッチ探索処理のＳ２０２，Ｓ２１０，Ｓ２３４〜Ｓ２４２がそれぞれＳ３０２，Ｓ３１０，Ｓ３３４に置き換わっており、Ｓ２３０〜Ｓ２３２，Ｓ２４４〜Ｓ２４８は図６で示したカラーパッチ探索処理と同じである。
【００８５】
図１１に示すカラーパッチ探索処理が開始されると、ホスト装置１００は、Ｓ３０２において、図７で示したＵＩ画面８００のうち色差閾値入力欄８２４及びボタン８２５の無い画面をＵＩ画面として表示装置１３０に表示させる。Ｓ３１０において、ホスト装置１００は、Ｓ２１２，Ｓ２１４，Ｓ２１６，Ｓ２１８，Ｓ２２２の処理を行う。ホスト装置１００は、入力装置１１５による測色実行ボタン８１６（図７参照）への操作を受け付けると、Ｓ２３０〜Ｓ２３２の処理を行う。
Ｓ３３４において、ホスト装置１００は、ターゲット色彩値Ｌａｂ（ｔ）と測色値Ｌａｂ（ｐ）との色差ΔＥに応じて段階的、又は、連続的に変えた音を音声出力装置１１６に発生させる。
【００８６】
図１２は、Ｓ３３４において色差ΔＥに応じて段階的に発生音を変える例を模式的に示している。図１２において、横軸は色差ΔＥであり、縦軸は発生音の周波数（Ｈｚ）である。図１２に示す例の発生音は、ΔＥ＞３である場合に最も低い周波数の音となり、２＜ΔＥ≦３である場合にΔＥ＞３の場合よりも高い周波数の音となり、１＜ΔＥ≦２である場合に２＜ΔＥ≦３の場合よりも高い周波数の音となり、０．５＜ΔＥ≦１である場合に１＜ΔＥ≦２の場合よりも高い周波数の音となり、０≦ΔＥ≦０．５である場合に０．５＜ΔＥ≦１の場合よりも高い周波数の音となる。すなわち、発生音は、色差ΔＥが小さくなるほど段階的に高い音となる。
【００８７】
図１３は、Ｓ３３４において色差ΔＥに応じて連続的に発生音を変える例を模式的に示している。図１３においても、横軸は色差ΔＥであり、縦軸は発生音の周波数（Ｈｚ）である。図１３に示す例の発生音は、色差ΔＥが小さくなるほど高くなる周波数の音、すなわち、色差ΔＥが小さくなるほど連続的に高い音となる。
【００８８】
以上より、比較的低い発生音を聞いたユーザーは、表示装置１３０に視線を移さなくても、測色値Ｌａｂ（ｐ）がターゲット色彩値Ｌａｂ（ｔ）から遠いことを知ることができる。一方、比較的高い発生音を聞いたユーザーは、表示装置１３０に視線を移さなくても、測色値Ｌａｂ（ｐ）がターゲット色彩値Ｌａｂ（ｔ）に近いことを知ることができる。従って、目標色に合ったカラーパッチを探す作業を効率良く行うことが可能である。
【００８９】
さらに、色差ΔＥに応じた音は、Ｌａｂ色空間においてターゲット色彩値Ｌａｂ（Ｌｔ，ａｔ，ｂｔ）の座標から測色値Ｌａｂ（Ｌｐ，ａｐ，ｂｐ）の座標に向かう方向に応じた音でもよい。
【００９０】
図１４は、Ｌａｂ色空間においてターゲット色彩値の座標から測色値の座標に向かう方向に応じた音を発生させるための発生音テーブルＴＡ１を模式的に例示している。図１４には、ΔＥ＞ＴＨとΔＥ≦ＴＨとで発生音が異なることが示されている。図１５は、Ｌａｂ色空間においてターゲット色彩値の座標から測色値の座標に向かう方向と音との対応関係を模式的に例示している。
ホスト装置１００は、ターゲット色彩値Ｌａｂ（Ｌｔ，ａｔ，ｂｔ）と測色値Ｌａｂ（Ｌｐ，ａｐ，ｂｐ）とに基づいて、音声出力装置１１６により発生させる音を決定する処理を行う。この処理は、例えば、以下のようにして行うことができる。
【００９１】
まず、ホスト装置１００は、ターゲット色彩値（Ｌｔ，ａｔ，ｂｔ）と現在の測色値（Ｌｐ，ａｐ，ｂｐ）との各成分の差ΔＬ，Δａ，Δｂを算出する。ここで、ΔＬ＝Ｌｐ−Ｌｔ、Δａ＝ａｐ−ａｔ、及び、Δｂ＝ｂｐ−ｂｔである。
【００９２】
次に、ホスト装置１００は、｜ΔＬ｜と｜Δａ｜と｜Δｂ｜の中から最大値を抽出し、図１４に示すように、抽出結果に応じた音を音声出力装置１１６に発生させる処理を行う。ここで、「＋Ｌ方向のずれが最も大」は｜ΔＬ｜が最大値であってΔＬ＞０である場合であり、「−Ｌ方向のずれが最も大」は｜ΔＬ｜が最大値であってΔＬ＜０である場合である。「＋ａ方向のずれが最も大」は｜Δａ｜が最大値であってΔａ＞０である場合であり、「−ａ方向のずれが最も大」は｜Δａ｜が最大値であってΔａ＜０である場合である。「＋ｂ方向のずれが最も大」は｜Δｂ｜が最大値であってΔｂ＞０である場合であり、「−ｂ方向のずれが最も大」は｜Δｂ｜が最大値であってΔｂ＜０である場合である。これら６通りの場合において、ΔＥ＞ＴＨとΔＥ≦ＴＨとで発生音が異なる。
【００９３】
図１４，１５に示すように、「＋Ｌ方向のずれが最も大」である場合、ホスト装置１００は、ΔＥ＞ＴＨのときに音１を音声出力装置１１６により発生させ、ΔＥ≦ＴＨのときに音２を音声出力装置１１６により発生させる。「−Ｌ方向のずれが最も大」である場合、ホスト装置１００は、ΔＥ＞ＴＨのときに音３を音声出力装置１１６により発生させ、ΔＥ≦ＴＨのときに音４を音声出力装置１１６により発生させる。さらに、「＋ａ方向のずれが最も大」である場合に音５，６が発生し、「−ａ方向のずれが最も大」である場合に音７，８が発生し、「＋ｂ方向のずれが最も大」である場合に音９，１０が発生し、「−ｂ方向のずれが最も大」である場合に音１１，１２が発生する。音１〜１２は、全て異なる音である。
【００９４】
以上より、ユーザーは、視線を表示装置に移さなくても、発生音を聞くことにより、ターゲット色彩値（Ｌｔ，ａｔ，ｂｔ）に対する現在の測色値（Ｌｐ，ａｐ，ｂｐ）のずれの方向を知ることができる。従って、目標色に合ったカラーパッチを探す作業をさらに効率良く行うことが可能である。
【００９５】
尚、色選択支援方法としては、基準色彩値取得工程ＳＴ１、測色値取得工程ＳＴ４、色差算出工程ＳＴ５、及び、音発生工程ＳＴ６があれば、目標色に合ったカラーパッチを探す作業を効率良く行う効果が得られる。従って、図６で示したカラーパッチ探索処理からＳ２１４〜Ｓ２２２，Ｓ２４０〜Ｓ２４２，Ｓ２４６を省略したり、図１１で示したカラーパッチ探索処理からＳ２１４〜Ｓ２２２，Ｓ２４６を省略したりすることも、可能である。また、例えば、図７で示したＵＩ画面８００から発生音選択欄８２６及びボタン８２７を無くし、所定の音のみ音声出力装置１１６により発生させても、前述の基本的な効果が得られる。
【００９６】
（８）結び：
以上説明したように、本発明によると、種々の態様により、目標色に合ったカラーパッチを探す作業を効率良く行う技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００９７】
１００…ホスト装置、１１５…入力装置、１１６…音声出力装置、１２０…測色装置、１２１…センサー、１２２…測色ボタン、１３０…表示装置、２００…プリンター、５００…プロファイル、７１０…ターゲット色彩値入力欄、８００…ＵＩ画面、８５０…閾値更新選択画面、８７０…探索結果表示画面、ＣＨ０…カラーチャート、ＣＳ１…ＣＭＹＫ色空間、ＣＳ２…Ｌａｂ色空間、Ｐ０…カラーパッチ、ＰＲ０…色選択支援プログラム、ＰＴ１…印刷物、ＳＴ１…基準色彩値取得工程、ＳＴ２…閾値設定工程、ＳＴ３…音設定受付工程、ＳＴ４…測色値取得工程、ＳＴ５…色差算出工程、ＳＴ６…音発生工程、ＳＴ７…閾値更新工程、ＳＴ８…音声出力工程、ＴＡ１…発生音テーブル。
【図１】
2020051764.tif 000003
【図２】
2020051764.tif 000004
【図３】
2020051764.tif 000005
【図４】
2020051764.tif 000006
【図５】
2020051764.tif 000007
【図６】
2020051764.tif 000008
【図７】
2020051764.tif 000009
【図８】
2020051764.tif 000010
【図９】
2020051764.tif 000011
【図１０】
2020051764.tif 000012
【図１１】
2020051764.tif 000013
【図１２】
2020051764.tif 000014
【図１３】
2020051764.tif 000015
【図１４】
2020051764.tif 000016
【図１５】
2020051764.tif 000017